(57)【要約】【課題】ユーザに負担が掛かるのを抑制しながら、個々の携帯機器に応じて動画変換処理された動画データを携帯機器に転送可能な動画変換システムを提供する。【解決手段】この動画変換システム１００は、ネットワーク接続が可能な携帯電話１と、ネットワークを介して携帯電話１と通信可能なルータ２とを備え、携帯電話１は、テレビジョン放送の所定の番組の録画を要求する録画要求信号と、携帯電話１が再生可能な動画フォーマットおよび動画サイズの情報を含む携帯機器情報とをネットワークを介してルータ２に送信するように構成され、ルータ２により受信された録画要求信号および携帯機器情報に基づいて、所定の番組を録画するとともに、録画された所定の番組を携帯電話１が再生可能な動画データに動画変換処理し、かつ、動画変換処理された再生可能な動画データを携帯電話１に転送するように構成されている。【選択図】図６
2011004016.tif 000002
【特許請求の範囲】
【請求項１】
テレビジョン放送の視聴および動画データの再生が可能であるとともに、ネットワーク接続が可能な携帯機器と、
所定の場所に固定的に設置され、前記ネットワークを介して前記携帯機器と通信可能なルータとを備え、
前記携帯機器は、前記テレビジョン放送の所定の番組の録画を要求する録画要求信号と、前記携帯機器が再生可能な動画フォーマットおよび動画サイズの少なくとも一方の情報を含む携帯機器情報とを前記ネットワークを介して前記ルータに送信するように構成され、
前記ルータにより受信された前記録画要求信号に基づいて前記所定の番組を録画するとともに、前記ルータにより受信された前記携帯機器情報に基づいて録画された前記所定の番組を前記携帯機器が再生可能な動画データに動画変換処理し、かつ、動画変換処理された前記再生可能な動画データを前記携帯機器に転送するように構成されている、動画変換システム。
【請求項２】
前記携帯機器情報は、前記携帯機器が再生可能な動画フォーマットおよび動画サイズの両方の情報を含む、請求項１に記載の動画変換システム。
【請求項３】
前記所定の場所に固定的に設置されたルータに接続され、前記ルータを介して前記ネットワークに接続されるとともに、前記テレビジョン放送を受信可能な電子機器をさらに備え、
前記ルータは、前記録画要求信号に基づいて前記所定の番組の録画を指示する録画指示信号を前記電子機器に送信するように制御する制御部を含み、
前記電子機器は、前記録画指示信号を受信した場合に、前記所定の番組を録画するように構成されている、請求項１または２に記載の動画変換システム。
【請求項４】
前記電子機器が複数設けられており、
前記ルータの前記制御部は、前記ルータにより前記録画要求信号が受信された場合に、前記所定の番組を録画可能であるか否かについて、複数の前記電子機器の状況を判断するとともに、判断結果に基づいて前記複数の電子機器のうちの録画可能である電子機器に前記録画指示信号を送信するように制御するように構成されている、請求項３に記載の動画変換システム。
【請求項５】
前記ルータは、前記テレビジョン放送を受信可能なテレビ放送受信部と、前記ルータにより受信された前記録画要求信号に基づいて前記所定の番組を録画する録画部と、前記ルータにより受信された前記携帯機器情報に基づいて、前記録画された所定の番組を前記携帯機器が再生可能な動画データに動画変換処理する動画変換処理部と、前記動画変換処理部により動画変換処理された前記再生可能な動画データを記憶する記憶部とを含む、請求項１〜４のいずれか１項に記載の動画変換システム。
【請求項６】
前記ルータは、前記ネットワークを介さないで前記携帯機器と通信可能な第１通信部を含み、前記第１通信部により通信可能な範囲内に前記携帯機器が位置する場合に、前記動画変換処理された再生可能な動画データを前記第１通信部により前記携帯機器に転送するように構成されている、請求項１〜５のいずれか１項に記載の動画変換システム。
【請求項７】
前記ルータは、前記携帯機器の充電クレードルと通信可能な第２通信部を含み、前記携帯機器が前記充電クレードルに接続された場合に、前記動画変換処理された再生可能な動画データを前記第２通信部により前記充電クレードルを介して前記携帯機器に転送するように構成されている、請求項１〜５のいずれか１項に記載の動画変換システム。
【請求項８】
前記ルータは、前記動画変換処理された再生可能な動画データを前記ネットワークを介して前記携帯機器に転送するように構成されている、請求項１〜５のいずれか１項に記載の動画変換システム。
【請求項９】
携帯機器によりネットワークを介して送信される、テレビジョン放送の所定の番組の録画を要求する録画要求信号と、前記携帯機器が再生可能な動画フォーマットおよび動画サイズの少なくとも一方の情報を含む携帯機器情報とを受信する受信部を備え、
前記受信部により受信される前記録画要求信号に基づいて前記所定の番組が録画され、前記受信部により受信される前記携帯機器情報に基づいて録画された前記所定の番組が前記携帯機器により再生可能な動画データに動画変換処理され、かつ、動画変換処理された前記再生可能な動画データが前記携帯機器に転送されるように構成されるとともに、所定の場所に固定的に設置された、ルータ。
【請求項１０】
前記テレビジョン放送を受信可能なテレビ放送受信部と、
前記受信部により受信される前記録画要求信号に基づいて前記所定の番組を録画する録画部と、
前記受信部により受信される前記携帯機器情報に基づいて前記録画された所定の番組を前記携帯機器が再生可能な動画データに動画変換処理する動画変換処理部と、
前記動画変換処理部により動画変換処理された前記再生可能な動画データを記憶する記憶部とを含む、請求項９に記載のルータ。
【発明の詳細な説明】
【技術分野】
【０００１】
この発明は、動画変換システムおよびルータに関し、特に、動画データが携帯機器に転送される動画変換システムおよびルータに関する。
【背景技術】
【０００２】
従来、動画データが携帯機器に転送されるシステムが知られている（たとえば、特許文献１および２参照）。
【０００３】
上記特許文献１には、携帯電話（携帯機器）と、携帯電話とネットワークを介して通信可能な宅内のサーバと、サーバと通信可能に接続された宅内の情報家電機器とを備えたシステムが開示されている。このシステムでは、ユーザが宅外にいる際に、携帯電話により情報家電機器に収容されているコンテンツデータ（動画や音声データ）を取得するようにサーバに対して要求すると、サーバにより、情報家電機器からコンテンツデータが取得される。そして、取得されたコンテンツデータがサーバ内で携帯電話用にフォーマット変換される。これにより、ユーザが宅外にいる間にコンテンツデータがフォーマット変換されてサーバ内に保存されるので、ユーザは帰宅後、既にフォーマット変換されたサーバ内のコンテンツデータを携帯電話に転送する。なお、上記特許文献１では、コンテンツデータを携帯電話用にフォーマット変換する際の具体的な方法については記載されていない。
【０００４】
また、上記特許文献２には、携帯電話と、ネットワークを介して携帯電話と通信可能な録画再生装置とを備えた予約録画システムが開示されている。この予約録画システムでは、携帯電話から所望の番組の録画予約を録画再生装置に行うと、録画再生装置により、所望の番組が録画されるとともに、録画データが録画予約を行った携帯電話に応じた動画フォーマットおよび動画サイズに変換される。なお、この予約録画システムでは、所望の番組の録画予約を行う前に、ユーザにより、個々の携帯電話に応じた動画フォーマットおよび動画サイズの情報を録画再生装置に予め登録しておく必要がある。
【先行技術文献】
【特許文献】
【０００５】
【特許文献１】特開２００８−１８６２０４号公報
【特許文献２】特開２００６−３３９７６５号公報
【発明の概要】
【発明が解決しようとする課題】
【０００６】
上記特許文献１では、コンテンツデータを携帯電話用にフォーマット変換する際の具体的な方法について記載されていないが、個々の携帯電話に応じたフォーマット変換を行うために、ユーザにより、個々の携帯電話が再生可能なフォーマットの情報をサーバに予め登録しておく必要があると考えられる。このため、ユーザに負担が掛かるという問題点がある。
【０００７】
また、上記特許文献２の予約録画システムでは、個々の携帯電話に応じて動画変換処理された録画データ（動画データ）を携帯電話に転送可能である一方、所望の番組の録画予約を行う前に、ユーザにより、個々の携帯電話に応じた動画フォーマットおよび動画サイズの情報を録画再生装置に予め登録しておく必要があるので、ユーザに負担が掛かるという問題点がある。
【０００８】
この発明は、上記のような課題を解決するためになされたものであり、この発明の１つの目的は、ユーザに負担が掛かるのを抑制しながら、個々の携帯機器に応じて動画変換処理された動画データを携帯機器に転送可能な動画変換システムおよびルータを提供することである。
【課題を解決するための手段および発明の効果】
【０００９】
この発明の第１の局面による動画変換システムは、テレビジョン放送の視聴および動画データの再生が可能であるとともに、ネットワーク接続が可能な携帯機器と、所定の場所に固定的に設置され、ネットワークを介して携帯機器と通信可能なルータとを備え、携帯機器は、テレビジョン放送の所定の番組の録画を要求する録画要求信号と、携帯機器が再生可能な動画フォーマットおよび動画サイズの少なくとも一方の情報を含む携帯機器情報とをネットワークを介してルータに送信するように構成され、ルータにより受信された録画要求信号に基づいて所定の番組を録画するとともに、ルータにより受信された携帯機器情報に基づいて録画された所定の番組を携帯機器が再生可能な動画データに動画変換処理し、かつ、動画変換処理された再生可能な動画データを携帯機器に転送するように構成されている。
【００１０】
この発明の第１の局面による動画変換システムでは、上記のように、携帯機器が再生可能な動画フォーマットおよび動画サイズの少なくとも一方の情報を含む携帯機器情報をルータに送信するように携帯機器を構成するとともに、携帯機器情報に基づいて録画された所定の番組を携帯機器が再生可能な動画データに動画変換処理することによって、ユーザが個々の携帯機器情報を予め登録することなく、携帯機器情報に基づいて個々の携帯機器に応じた動画変換処理を行うことができる。これにより、ユーザに負担が掛かるのを抑制しながら、個々の携帯機器に応じて動画変換処理された動画データを携帯機器に転送することができる。
【００１１】
上記第１の局面による動画変換システムにおいて、好ましくは、携帯機器情報は、携帯機器が再生可能な動画フォーマットおよび動画サイズの両方の情報を含む。このように構成すれば、動画フォーマットおよび動画サイズの両方の情報について、個々の携帯機器に応じた動画変換処理を行うことができるので、個々の携帯機器により適した動画変換処理を行うことができる。
【００１２】
上記第１の局面による動画変換システムにおいて、好ましくは、所定の場所に固定的に設置されたルータに接続され、ルータを介してネットワークに接続されるとともに、テレビジョン放送を受信可能な電子機器をさらに備え、ルータは、録画要求信号に基づいて所定の番組の録画を指示する録画指示信号を電子機器に送信するように制御する制御部を含み、電子機器は、録画指示信号を受信した場合に、所定の番組を録画するように構成されている。このように構成すれば、電子機器により所定の番組の録画が行われるので、ルータに録画機能を設ける必要がない。
【００１３】
この場合、好ましくは、電子機器が複数設けられており、ルータの制御部は、ルータにより録画要求信号が受信された場合に、所定の番組を録画可能であるか否かについて、複数の電子機器の状況を判断するとともに、判断結果に基づいて複数の電子機器のうちの録画可能である電子機器に録画指示信号を送信するように制御するように構成されている。このように構成すれば、状況によって録画可能でない電子機器が存在する場合にも、他の録画可能な電子機器によって確実に所定の番組を録画することができる。
【００１４】
上記第１の局面による動画変換システムにおいて、好ましくは、ルータは、テレビジョン放送を受信可能なテレビ放送受信部と、ルータにより受信された録画要求信号に基づいて所定の番組を録画する録画部と、ルータにより受信された携帯機器情報に基づいて、録画された所定の番組を携帯機器が再生可能な動画データに動画変換処理する動画変換処理部と、動画変換処理部により動画変換処理された再生可能な動画データを記憶する記憶部とを含む。このように構成すれば、ルータ単独で、録画要求信号に基づいて録画を行うとともに、携帯機器情報に基づいて個々の携帯機器に応じて動画変換処理を行うことができるので、ルータ以外に録画機能や動画変換処理機能を有する装置を別途設ける必要がない。
【００１５】
上記第１の局面による動画変換システムにおいて、好ましくは、ルータは、ネットワークを介さないで携帯機器と通信可能な第１通信部を含み、第１通信部により通信可能な範囲内に携帯機器が位置する場合に、動画変換処理された再生可能な動画データを第１通信部により携帯機器に転送するように構成されている。このように構成すれば、比較的データサイズの大きい動画データを、ＩｒＤＡ（登録商標）による通信などを用いて第１通信部によりネットワークを介さないでルータから携帯機器に転送することができるので、ネットワークが混雑している場合でも動画データを携帯機器に良好に転送することができる。また、データサイズの大きい動画データの転送にネットワークを用いない分、パケット代などのネットワークの使用料を低減することができる。
【００１６】
上記第１の局面による動画変換システムにおいて、好ましくは、ルータは、携帯機器の充電クレードルと通信可能な第２通信部を含み、携帯機器が充電クレードルに接続された場合に、動画変換処理された再生可能な動画データを第２通信部により充電クレードルを介して携帯機器に転送するように構成されている。このように構成すれば、比較的データサイズの大きい動画データを、第２通信部によりネットワークを介さずに充電クレードル経由で携帯機器に転送することができるので、ネットワークが混雑している場合でも動画データを携帯機器に良好に転送することができる。また、携帯機器が充電クレードルに接続された場合に動画データの転送を行うことによって、携帯機器を充電しながら動画データを転送することができる。また、データサイズの大きい動画データの転送にネットワークを用いない分、パケット代などのネットワークの使用料を低減することができる。なお、本明細書において、「携帯機器が充電クレードルに接続された場合」とは、有線通信の場合には、携帯機器および充電クレードルが互いに物理的に接続（ケーブル等で接続）された場合を意味し、無線通信の場合には、携帯機器および充電クレードルが互いに通信可能となった場合を意味する。
【００１７】
上記第１の局面による動画変換システムにおいて、好ましくは、ルータは、動画変換処理された再生可能な動画データをネットワークを介して携帯機器に転送するように構成されている。このように構成すれば、携帯機器がネットワークに接続可能な状態であれば、携帯機器の位置に関係なく（宅内、宅外に関係なく）動画データを携帯機器に転送することができる。
【００１８】
この発明の第２の局面によるルータは、携帯機器によりネットワークを介して送信される、テレビジョン放送の所定の番組の録画を要求する録画要求信号と携帯機器が再生可能な動画フォーマットおよび動画サイズの少なくとも一方の情報を含む携帯機器情報とを受信する受信部を備え、受信部により受信される録画要求信号に基づいて所定の番組が録画され、受信部により受信される携帯機器情報に基づいて録画された所定の番組が携帯機器により再生可能な動画データに動画変換処理され、かつ、動画変換処理された再生可能な動画データが携帯機器に転送されるように構成されるとともに、所定の場所に固定的に設置されている。
【００１９】
この発明の第２の局面によるルータでは、上記のように、携帯機器によりネットワークを介して送信される携帯機器が再生可能な動画フォーマットおよび動画サイズの少なくとも一方の情報を含む携帯機器情報を受信する受信部を設け、受信部により受信された携帯機器情報に基づいて録画された所定の番組が携帯機器により再生可能な動画データに動画変換処理されるように構成することによって、ユーザが個々の携帯機器情報を予め登録することなく、携帯機器情報に基づいて個々の携帯機器に応じた動画変換処理が行われる。これにより、ユーザに負担が掛かるのを抑制しながら、個々の携帯機器に応じて動画変換処理された動画データを携帯機器に転送することができる。
【００２０】
上記第２の局面によるルータにおいて、好ましくは、テレビジョン放送を受信可能なテレビ放送受信部と、受信部により受信される録画要求信号に基づいて所定の番組を録画する録画部と、受信部により受信される携帯機器情報に基づいて録画された所定の番組を携帯機器が再生可能な動画データに動画変換処理する動画変換処理部と、動画変換処理部により動画変換処理された再生可能な動画データを記憶する記憶部とを含む。このように構成すれば、ルータ単独で、録画要求信号に基づいて録画を行うとともに、携帯機器情報に基づいて個々の携帯機器に応じて動画変換処理を行うことができるので、ルータ以外に録画機能や動画変換処理機能を有する装置を別途設ける必要がない。
【図面の簡単な説明】
【００２１】
【図１】本発明の第１実施形態および第２実施形態による動画変換システムの全体構成を示した概略図である。
【図２】本発明の第１および第２実施形態による動画変換システムの携帯電話の構成を示したブロック図である。
【図３】本発明の第１実施形態による動画変換システムのルータの構成を示したブロック図である。
【図４】本発明の第１〜第４実施形態による動画変換システムのＤＶＤレコーダの構成を示したブロック図である。
【図５】本発明の第１〜第４実施形態による動画変換システムのＰＣの構成を示したブロック図である。
【図６】本発明の第１実施形態による動画変換システムの録画・動画変換処理動作を説明するためのフローチャートである。
【図７】本発明の第２実施形態による動画変換システムのルータの構成を示したブロック図である。
【図８】本発明の第２実施形態による動画変換システムの録画・動画変換処理動作を説明するためのフローチャートである。
【図９】本発明の第３実施形態による動画変換システムの構成を示した概略図である。
【図１０】本発明の第３実施形態による動画変換システムの携帯電話の構成を示したブロック図である。
【図１１】本発明の第３および第４実施形態による動画変換システムのルータの構成を示したブロック図である。
【図１２】本発明の第３実施形態による動画変換システムの録画・動画変換処理動作を説明するためのフローチャートである。
【図１３】本発明の第４実施形態による動画変換システムの構成を示した概略図である。
【図１４】本発明の第４実施形態による動画変換システムの携帯電話および充電クレードルの構成を示したブロック図である。
【図１５】本発明の第４実施形態による動画変換システムの録画・動画変換処理動作を説明するためのフローチャートである。
【発明を実施するための形態】
【００２２】
以下、本発明を具体化した実施形態を図面に基づいて説明する。
【００２３】
（第１実施形態）
まず、図１〜図５を参照して、本発明の第１実施形態による動画変換システム１００の構成について説明する。
【００２４】
本発明の第１実施形態による動画変換システム１００は、図１に示すように、携帯電話１と、ルータ２と、ＤＶＤレコーダ３と、ＰＣ（パーソナルコンピュータ）４とを備えている。なお、携帯電話１は、本発明の「携帯機器」の一例であり、ＤＶＤレコーダ３およびＰＣ４は、それぞれ、本発明の「電子機器」の一例である。
【００２５】
携帯電話１は、基地局５（図１参照）を介して電話に加えてインターネット接続が可能に構成されている。また、携帯電話１は、図２に示すように、表示部１１と、１０キーなどからなる操作部１２と、音声入出力部１３と、メモリ部１４と、電源・充電部１５とを含んでいる。さらに、携帯電話１は、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）通信可能なデータ送受信部１６と、ワンセグ放送の受信が可能なテレビ放送受信部（チューナ）１７と、携帯電話１の各部を制御するＣＰＵ１８とを含んでいる。
【００２６】
表示部１１は、テレビ放送受信部１７により受信されたワンセグ放送を視聴することが可能に構成されている。また、表示部１１は、メモリ部１４に記憶された後述する動画データの映像も表示するように構成されている。また、表示部１１には、ユーザがワンセグ放送を視聴している際に、視聴中の番組の録画を要求するための録画ボタンが表示される。
【００２７】
操作部１２は、ユーザが携帯電話１に各種動作の指示を行うために設けられている。また、ユーザは、操作部１２を用いて上記録画ボタンを押下することが可能である。
【００２８】
メモリ部１４は、ＲＯＭ、ＦＬＡＳＨ  ＲＯＭなどからなる不揮発性メモリ１４ａと、ＲＡＭ、ＤＲＡＭなどからなる揮発性メモリ１４ｂとを有している。不揮発性メモリ１４ａには、後述する録画・動画変換処理において実行される処理プログラム１４ｃが記憶されている。また、不揮発性メモリ１４ａは、動画データを記憶可能に構成されている。
【００２９】
電源・充電部１５は、携帯電話１の各部に電力を供給するとともに、電力を蓄電するために設けられている。
【００３０】
データ送受信部１６は、基地局５およびインターネットを介して各種の信号およびデータを送受信するために設けられている。
【００３１】
ＣＰＵ１８は、不揮発性メモリ１４ａに記憶されているプログラムおよび揮発性メモリ１４ｂにロードされたプログラムを実行するために設けられている。また、ＣＰＵ１８は、上記の処理プログラム１４ｃも実行するように構成されている。また、ＣＰＵ１８は、映像処理部１８ａを備えており、表示部１１が表示可能なように各映像データをデコードする機能を有している。また、ＣＰＵ１８は、ユーザにより録画ボタンが押下されると、後述するように、録画要求信号および携帯機器情報をインターネットを介してルータ２に送信するように各部を制御するように構成されている。なお、第１実施形態では、録画要求信号とは、視聴中の番組の録画を要求するための信号であり、携帯機器情報とは、携帯電話１が再生可能な動画フォーマットおよび動画サイズの情報を含む機器情報である。
【００３２】
ルータ２は、図１に示すように、宅内（家庭内や企業内など）の所定の場所に固定的に設置されるように構成されている。また、ルータ２は、宅内に固定的に設置されたＤＶＤレコーダ３およびＰＣ４のそれぞれをインターネットに接続する機能を有している。また、ルータ２は、図３に示すように、メモリ部２１と、電源部２２とを含んでいる。さらに、ルータ２は、データ送受信部（有線ＷＡＮ用）２３と、データ送受信部（有線ＬＡＮ用）２４と、データ送受信部（無線用）２５と、ルータ２の各部を制御するＣＰＵ２６とを含んでいる。なお、メモリ部２１は、本発明の「記憶部」および「録画部」の一例であり、データ送受信部（有線ＷＡＮ用）２３は、本発明の「受信部」の一例である。また、ＣＰＵ２６は、本発明の「制御部」の一例である。
【００３３】
メモリ部２１は、ＲＯＭ、ＦＬＡＳＨ  ＲＯＭ、ＨＤＤなどからなる不揮発性メモリ２１ａと、ＲＡＭ、ＤＲＡＭなどからなる揮発性メモリ２１ｂとを有している。不揮発性メモリ２１ａには、後述する録画・動画変換処理において実行される処理プログラム２１ｃが記憶されている。また、不揮発性メモリ２１ａは、動画データを記憶可能に構成されている。
【００３４】
電源部２２は、ルータ２の各部に電力を供給するために設けられている。
【００３５】
データ送受信部（有線ＷＡＮ用）２３は、ＷＡＮ（Ｗｉｄｅ  Ａｒｅａ  Ｎｅｔｗｏｒｋ）回線によりＩＳＰ（Ｉｎｔｅｒｎｅｔ  Ｓｅｒｖｉｃｅ  Ｐｒｏｖｉｄｅｒ）に接続されている。これにより、ルータ２は、インターネットを介して携帯電話１と通信可能に構成されている。また、データ送受信部２３は、イーサネット（Ｅｔｈｅｒｎｅｔ）（登録商標）に対応するように構成されている。
【００３６】
データ送受信部（有線ＬＡＮ用）２４は、有線ＬＡＮ（Ｌｏｃａｌ  Ａｒｅａ  Ｎｅｔｗｏｒｋ）回線によりＤＶＤレコーダ３およびＰＣ４に接続されている。これにより、ルータ２、ＤＶＤレコーダ３およびＰＣ４によって、宅内でＬＡＮが構築されている。また、データ送受信部２４は、イーサネット（Ｅｔｈｅｒｎｅｔ）（登録商標）に対応するように構成されている。
【００３７】
データ送受信部（無線用）２５は、Ｗｉ−Ｆｉ（登録商標）に対応するように構成されており、Ｗｉ−Ｆｉ（登録商標）対応の機器との間でデータの送受信を行うために設けられている。
【００３８】
ＣＰＵ２６は、不揮発性メモリ２１ａに記憶されているプログラムおよび揮発性メモリ２１ｂにロードされたプログラムを実行するために設けられている。また、ＣＰＵ２６は、上記の処理プログラム２１ｃも実行するように構成されている。また、ＣＰＵ２６は、動画変換処理部２６ａを備えており、動画データを所定の動画フォーマットおよび所定の動画サイズに変更する機能を有している。
【００３９】
ＤＶＤレコーダ３は、図１に示すように、宅内（家庭内や企業内など）の所定の場所に固定的に設置されたルータ２に接続され、ルータ２を介してインターネットに接続されるように構成されている。また、ＤＶＤレコーダ３は、図４に示すように、表示出力部３１と、メモリ部３２と、電源部３３とを含んでいる。さらに、ＤＶＤレコーダ３は、データ送受信部（有線ＬＡＮ用）３４と、テレビジョン放送の受信が可能なテレビ放送受信部（チューナ）３５と、ＤＶＤレコーダ３の各部を制御するＣＰＵ３６とを含んでいる。
【００４０】
表示出力部３１は、図示しないテレビなどの表示装置に映像信号を出力するために設けられている。
【００４１】
メモリ部３２は、ＲＯＭ、ＦＬＡＳＨ  ＲＯＭ、ＨＤＤなどからなる不揮発性メモリ３２ａと、ＲＡＭ、ＤＲＡＭなどからなる揮発性メモリ３２ｂと、ＤＶＤドライブ、ＵＳＢドライブなどからなる外部メモリ用ドライブ３２ｃとを有している。不揮発性メモリ３２ａには、後述する録画・動画変換処理において実行される処理プログラム３２ｄが記憶されている。また、不揮発性メモリ３２ａは、テレビ放送受信部３５により受信された所定の番組の動画データを記憶可能に構成されている。すなわち、ＤＶＤレコーダ３は、テレビジョン放送の所定の番組を録画可能に構成されている。
【００４２】
電源部３３は、ＤＶＤレコーダ３の各部に電力を供給するために設けられている。
【００４３】
データ送受信部（有線ＬＡＮ用）３４は、有線ＬＡＮ（Ｌｏｃａｌ  Ａｒｅａ  Ｎｅｔｗｏｒｋ）回線によりルータ２のデータ送受信部２４に接続されている。これにより、ＤＶＤレコーダ３は、ルータ２を介してインターネットに接続される。また、データ送受信部３４は、イーサネット（Ｅｔｈｅｒｎｅｔ）（登録商標）に対応するように構成されている。
【００４４】
ＣＰＵ３６は、不揮発性メモリ３２ａに記憶されているプログラムおよび揮発性メモリ３２ｂにロードされたプログラムを実行するために設けられている。また、ＣＰＵ２６は、上記の処理プログラム３２ｄも実行するように構成されている。また、ＣＰＵ３６は、後述のように、ルータ２から送信される録画指示信号に基づいて、所定の番組を録画し、録画により作製された動画データをルータ２に送信するように各部を制御する。
【００４５】
ＰＣ４は、図１に示すように、宅内（家庭内や企業内など）の所定の場所に固定的に設置されるように構成されている。ＰＣ４は、図５に示すように、液晶モニタなどからなる表示部４１と、メモリ部４２と、キーボードおよびマウスからなる操作部４３と、電源部４４とを含んでいる。さらに、ＰＣ４は、データ送受信部（有線ＬＡＮ用）４５と、テレビジョン放送の受信が可能なテレビ放送受信部（チューナ）４６と、ＰＣ４の各部を制御するＣＰＵ４７とを含んでいる。
【００４６】
メモリ部４２は、ＲＯＭ、ＦＬＡＳＨ  ＲＯＭ、ＨＤＤなどからなる不揮発性メモリ４２ａと、ＲＡＭ、ＤＲＡＭなどからなる揮発性メモリ４２ｂと、ＤＶＤドライブ、ＵＳＢドライブなどからなる外部メモリ用ドライブ４２ｃとを有している。不揮発性メモリ４２ａには、後述する録画・動画変換処理において実行される処理プログラム４２ｄが記憶されている。また、不揮発性メモリ４２ａは、テレビ放送受信部４６により受信された所定の番組の動画データを記憶可能に構成されている。すなわち、ＰＣ４は、テレビジョン放送の所定の番組を録画可能に構成されている。
【００４７】
電源部４４は、ＰＣ４の各部に電力を供給するために設けられている。
【００４８】
データ送受信部（有線ＬＡＮ用）４５は、有線ＬＡＮ（Ｌｏｃａｌ  Ａｒｅａ  Ｎｅｔｗｏｒｋ）回線によりルータ２のデータ送受信部２４に接続されている。これにより、ＰＣ４は、ルータ２を介してインターネットに接続される。また、データ送受信部４５は、イーサネット（Ｅｔｈｅｒｎｅｔ）（登録商標）に対応するように構成されている。
【００４９】
ＣＰＵ４７は、不揮発性メモリ４２ａに記憶されているプログラムおよび揮発性メモリ４２ｂにロードされたプログラムを実行するために設けられている。また、ＣＰＵ４７は、上記の処理プログラム４２ｄも実行するように構成されている。また、ＣＰＵ４７は、後述のように、ルータ２から送信される録画指示信号に基づいて、所定の番組を録画するように各部を制御する。また、ＣＰＵ４７は、動画変換処理部４７ａを備えており、動画データを所定の動画フォーマットおよび所定の動画サイズに変更する機能を有している。また、ＣＰＵ４７は、動画変換処理された動画データをルータ２に送信するように各部を制御する。
【００５０】
次に、図６を参照して、本発明の第１実施形態による動画変換システム１００の録画・動画変換処理動作について説明する。なお、動画変換システム１００により録画・動画変換処理が実行される際には、携帯電話１のＣＰＵ１８は処理プログラム１４ｃを実行し、ルータ２のＣＰＵ２６は処理プログラム２１ｃを実行する。また、この際、ＤＶＤレコーダ３のＣＰＵ３６は処理プログラム３２ｄを実行し、ＰＣ４のＣＰＵ４７は処理プログラム４２ｄを実行する。
【００５１】
ユーザは、携帯電話１で視聴中の番組を録画したいと希望する場合には、表示部１１に表示される録画ボタンを押下する。これにより、動画変換システム１００による録画・動画変換処理が実行される。まず、携帯電話１のＣＰＵ１８は、ステップＳ１において、ユーザから録画要求があったか否かを判断し、録画要求があるまでこの判断を繰り返す。この際、ＣＰＵ１８は、ユーザにより録画ボタンが押下されたか否かで録画要求の有無を判断する。そして、録画要求があると、ＣＰＵ１８は、ステップＳ２において、インターネットを介してルータ２に録画要求信号および携帯機器情報を送信する。視聴中の番組の録画を要求する録画要求信号には、録画する番組を特定するためのチャンネル情報や時間情報も含まれている。また、ＣＰＵ１８は、携帯機器情報として、携帯電話１により再生可能な動画フォーマットおよび動画サイズの情報を送信する。ここで、携帯電話は、複数の異なるメーカによって製造され、機能や対応する規格が多岐にわたっているので、動画フォーマットや動画サイズによっては動画データを再生することができない場合がある。このため、第１実施形態では、ＣＰＵ１８は、録画要求を行う携帯電話１に特有の携帯機器情報（再生可能な動画フォーマットおよび動画サイズの情報）を録画要求信号とともに送信する。
【００５２】
ルータ２のＣＰＵ２６は、ステップＳ１１において、インターネットを介して送信される録画要求信号および携帯機器情報を受信する。そして、ステップＳ１２において、ＣＰＵ２６は、ＬＡＮを介して録画機器状況確認信号をＤＶＤレコーダ３およびＰＣ４に送信する。ここで、録画機器状況確認信号とは、録画要求信号に基づいて録画が可能であるか否かを確認するために、ルータ２が録画機能を有するＬＡＮ上の装置に送信する信号である。
【００５３】
ＤＶＤレコーダ３のＣＰＵ３６は、ステップＳ２１において、ＬＡＮを介して送信される録画機器状況確認信号を受信し、ステップＳ２２において、ＬＡＮを介して録画機器状況信号をルータ２に送信する。録画機器状況信号とは、録画機器状況確認信号に応答して、録画機器状況確認信号を受信した装置がルータ２に返信する信号である。具体的には、録画機器状況信号は、録画中であるか否かの情報や録画予約の有無の情報を含んでいる。ＰＣ４のＣＰＵ４７は、ＤＶＤレコーダ３のＣＰＵ３６と同様に、ステップＳ３１において、ＬＡＮを介して送信される録画機器状況確認信号を受信し、ステップＳ３２において、ＬＡＮを介して録画機器状況信号をルータ２に送信する。
【００５４】
ルータ２のＣＰＵ２６は、ステップＳ１３において、ＤＶＤレコーダ３およびＰＣ４から送信される録画機器状況信号を受信し、ステップＳ１４において、録画機器状況信号に基づいて、録画するのに最適な録画機器を選択する。たとえば、ＤＶＤレコーダ３およびＰＣ４のうち、一方が既に他の番組の録画中である場合には、録画要求信号に基づく録画が可能な他方を最適な録画機器として選択する。なお、ＤＶＤレコーダ３およびＰＣ４のいずれの機器でも録画可能である場合には、予めＤＶＤレコーダ３およびＰＣ４の優先順位を設定しておき、その優先順位に基づいていずれか一方を最適な録画機器として選択してもよい。この場合、たとえば、動画変換処理部４７ａを有するＰＣ４をＤＶＤレコーダ３よりも高い優先順位に設定してもよい。
【００５５】
そして、ルータ２のＣＰＵ２６は、ステップＳ１５において、ＤＶＤレコーダ３およびＰＣ４のうち、選択された最適な録画機器だけに録画指示信号を送信する。具体的には、ＣＰＵ２６は、ＤＶＤレコーダ３に送信する場合には、ルータ２により受信された録画要求信号に基づいて所定の番組の録画を行うことを指示する信号を送信する。一方、ＰＣ４に送信する場合には、ＣＰＵ２６は、ルータ２により受信された録画要求信号に基づいて所定の番組の録画を行うこと、および、ルータ２により受信された携帯機器情報に基づいて録画した番組を携帯電話１が再生可能な動画データに動画変換処理することを指示する信号を送信する。
【００５６】
ＤＶＤレコーダ３のＣＰＵ３６は、ステップＳ２３において、ＤＶＤレコーダ３に対して録画指示信号が送信されたか否かを判断し、送信されていなければそのまま動作を終了する。一方、ＤＶＤレコーダ３に送信されている場合には、ＣＰＵ３６は、ステップＳ２４において、録画指示信号を受信し、ステップＳ２５において、録画指示信号に基づいて所定の番組の録画を開始する。この際、録画により作製される動画データは、不揮発性メモリ３２ａに保存される。そして、ステップＳ２６において、ＣＰＵ３６は、録画を終了し、ステップＳ２７において、動画変換要求信号とともに動画データをルータ２に送信する。
【００５７】
ＰＣ４のＣＰＵ４７は、ＤＶＤレコーダ３のＣＰＵ３６と同様に、ステップＳ３３において、ＰＣ４に対して録画指示信号が送信されたか否かを判断し、送信されていなければそのまま動作を終了する。一方、ＰＣ４に送信されている場合には、ＣＰＵ４７は、ステップＳ３４において、録画指示信号を受信し、ステップＳ３５において、録画指示信号に基づいて所定の番組の録画を開始する。そして、ステップＳ３６において、ＣＰＵ４７は、録画を終了し、ステップＳ３７において、動画変換処理部４７ａにより、携帯機器情報に基づいて録画した番組を動画変換処理する。具体的には、動画変換処理部４７ａにより、携帯機器情報に基づいて録画した番組が携帯電話１で再生可能な動画フォーマットおよび動画サイズの動画データに変換される。この際、動画変換処理された動画データは不揮発性メモリ４２ａに保存される。その後、ステップＳ３８において、ＣＰＵ４７は、動画変換処理された動画データをルータ２に送信する。
【００５８】
ルータ２のＣＰＵ２６は、ステップＳ１６において、動画データ（および動画変換要求信号）を受信して動画データを不揮発性メモリ２１ａに記憶する。そして、ステップＳ１７において、動画変換要求信号を受信したか否かを判断する。これにより、受信した動画データについて、携帯電話１が再生可能な動画フォーマットおよび動画サイズに既に変換処理済みであるか否かが確認される。動画変換要求信号を受信していない場合（既に変換処理済である場合）には、ステップＳ１９に移行し、動画変換要求信号を受信した場合（まだ変換処理されていない場合）には、ステップＳ１８において、動画変換処理を行う。具体的には、動画変換処理部２６ａにより、ＤＶＤレコーダ３により録画された番組が、携帯機器情報に基づいて携帯電話１で再生可能な動画フォーマットおよび動画サイズの動画データに変換される。その後、ステップＳ１９において、ＣＰＵ２６は、動画変換処理された動画データをインターネットを介して携帯電話１に転送する。
【００５９】
携帯電話１のＣＰＵ１８は、ステップＳ３において、動画変換処理済みの動画データを受信し、ステップＳ４において、受信した動画データを不揮発性メモリ１４ａに保存する。これにより、ユーザは、ワンセグ放送の受信が不安定な場合に録画ボタンを押下することによって、宅内に設置されたＤＶＤレコーダ３またはＰＣ４により安定した受信状態で録画された再生可能な動画データを取得することができる。
【００６０】
第１実施形態では、上記のように、携帯電話１が再生可能な動画フォーマットおよび動画サイズの両方の情報を含む携帯機器情報をルータ２に送信するように携帯電話１を構成するとともに、携帯機器情報に基づいて録画された所定の番組を携帯電話１が再生可能な動画データに動画変換処理することによって、ユーザが個々の携帯機器情報を予め登録することなく、携帯機器情報に基づいて個々の携帯電話１に応じた動画変換処理を行うことができる。これにより、ユーザに負担が掛かるのを抑制しながら、個々の携帯電話１に応じて動画変換処理された動画データを携帯電話１に転送することができる。また、テレビジョン放送の受信精度が低い携帯電話１とは異なる固定式のＤＶＤレコーダ３やＰＣ４などで所定の番組の録画を行うことによって、容易に、安定した受信状態で録画を行うことができるので、容易に、良好な動画データを取得することができる。
【００６１】
また、第１実施形態では、所定の場所に固定的に設置されたルータ２に接続され、ルータ２を介してインターネットに接続されるとともに、テレビジョン放送を受信可能なＤＶＤレコーダ３（ＰＣ４）を設け、録画要求信号に基づいて所定の番組の録画を指示する録画指示信号をＤＶＤレコーダ３（ＰＣ４）に送信するように制御するＣＰＵ２６をルータ２に設け、かつ、ＤＶＤレコーダ３（ＰＣ４）を、録画指示信号を受信した場合に、所定の番組を録画するように構成することによって、ＤＶＤレコーダ３（ＰＣ４）により所定の番組の録画が行われるので、ルータ２に録画機能を設ける必要がない。
【００６２】
また、第１実施形態では、ルータ２のＣＰＵ２６を、ルータ２により録画要求信号が受信された場合に、所定の番組を録画可能であるか否かについて、ＤＶＤレコーダ３およびＰＣ４の状況を判断するとともに、判断結果に基づいてＤＶＤレコーダ３およびＰＣ４のうちの録画可能である一方に録画指示信号を送信するように制御するように構成することによって、状況によって録画可能でない電子機器（ＤＶＤレコーダ３またはＰＣ４）が存在する場合にも、録画可能な一方によって確実に所定の番組を録画することができる。
【００６３】
また、第１実施形態では、ルータ２を、インターネットを介して動画変換処理された再生可能な動画データを携帯電話１に転送するように構成することによって、携帯電話１がインターネットに接続可能な状態であれば、携帯電話１の位置に関係なく（宅内、宅外に関係なく）動画データを携帯電話１に転送することができる。
【００６４】
（第２実施形態）
次に、図１、図７および図８を参照して、第２実施形態について説明する。この第２実施形態では、上記第１実施形態と異なり、ルータ２０２がテレビジョン放送を受信可能なテレビ放送受信部（チューナ）２７を含み、ルータ２０２によりテレビジョン放送の所定の番組を録画可能である動画変換システム２００について説明する。
【００６５】
本発明の第２実施形態による動画変換システム２００は、図１に示すように、上記第１実施形態と同様のシステム構成になっている。具体的には、宅内（家庭内や企業内など）にルータ２０２、ＤＶＤレコーダ３およびＰＣ４が設置されており、これらのルータ２０２、ＤＶＤレコーダ３およびＰＣ４によりＬＡＮが構築されている。また、ルータ２０２と携帯電話１とがインターネットを介して通信可能に構成されている。
【００６６】
ここで、第２実施形態では、ルータ２０２は、図１に示すように、宅内（家庭内や企業内など）の所定の場所に固定的に設置されるように構成されている。また、ルータ２０２は、図７に示すように、メモリ部２１、電源部２２、データ送受信部２３〜２５およびＣＰＵ２６に加えて、テレビジョン放送を受信可能なテレビ放送受信部（チューナ）２７をさらに備えている。そして、ルータ２０２は、テレビジョン放送の所定の番組を録画する機能を有している。また、ルータ２０２のメモリ部２１の不揮発性メモリ２１ａには、後述する第２実施形態による動画変換システム２００の録画・動画変換処理の際にＣＰＵ２６により実行される処理プログラム２２１ｃが格納されている。
【００６７】
次に、図８を参照して、本発明の第２実施形態による動画変換システム２００の録画・動画変換処理動作について説明する。なお、動画変換システム２００により録画・動画変換処理が実行される際には、携帯電話１のＣＰＵ１８は処理プログラム１４ｃを実行し、ルータ２０２のＣＰＵ２６は処理プログラム２２１ｃを実行する。また、第２実施形態では、上記第１実施形態と同様の動作については図８のフローチャートに図６と同じステップ番号を付してその説明を省略する。
【００６８】
第２実施形態による動画変換システム２００の録画・動画変換処理動作は、図８に示すように、ルータ２０２の動作のステップＳ１１の後ステップＳ１９までの間の動作が上記第１実施形態と異なる。ルータ２０２のＣＰＵ２６は、ステップＳ１１において携帯電話１から録画要求信号および携帯機器情報を受信した後、ステップＳ２０１において、録画要求信号に基づいて所定の番組の録画を開始する。具体的には、ＣＰＵ２６は、テレビ放送受信部２７により所定の番組を受信して録画を行い、録画により作製される動画データを不揮発性メモリ２１ａに保存する。そして、ＣＰＵ２６は、ステップＳ２０２において、録画を終了し、ステップＳ２０３において、携帯機器情報に基づいて動画変換処理を行う。具体的には、動画変換処理部２６ａにより、録画された番組が携帯機器情報に基づいて携帯電話１で再生可能な動画フォーマットおよび動画サイズの動画データに変換される。その後、ステップＳ１９において、ＣＰＵ２６は、動画変換処理された動画データをインターネットを介して携帯電話１に転送する。
【００６９】
なお、第２実施形態のその他の構成は、上記第１実施形態と同様である。
【００７０】
第２実施形態では、上記のように、テレビジョン放送を受信可能なテレビ放送受信部２７と、録画要求信号に基づいて所定の番組を録画するように制御するＣＰＵ２６と、携帯機器情報に基づいて録画された所定の番組を携帯電話１が再生可能な動画データに動画変換処理する動画変換処理部２６ａと、動画変換処理部２６ａにより動画変換処理された再生可能な動画データを記憶するメモリ部２１とをルータ２０２に設けることによって、ルータ２０２単独で、録画要求信号に基づいて録画を行うとともに、携帯機器情報に基づいて個々の携帯電話１に応じて動画変換処理を行うことができるので、ルータ２０２以外に録画機能や動画変換処理機能を有するＤＶＤレコーダやＰＣなどの装置を別途設ける必要がない。
【００７１】
なお、第２実施形態のその他の効果は、上記第１実施形態と同様である。
【００７２】
（第３実施形態）
次に、図９〜図１２を参照して、第３実施形態について説明する。この第３実施形態では、上記第１実施形態と異なり、インターネットを介さないでルータ３０２から携帯電話３０１に動画データを転送する動画変換システム３００について説明する。なお、携帯電話３０１は、本発明の「携帯機器」の一例である。
【００７３】
本発明の第３実施形態による動画変換システム３００は、図９に示すように、宅内（家庭内や企業内など）において、インターネットを介さないでルータ３０２から携帯電話３０１に動画データを転送するように構成されている。
【００７４】
携帯電話３０１は、図１０に示すように、表示部１１、操作部１２、音声入出力部１３、メモリ部１４、電源・充電部１５、データ送受信部１６、テレビ放送受信部１７およびＣＰＵ１８に加えて、データ送受信部（ルータ間用）１９をさらに備えている。
【００７５】
データ送受信部１９は、インターネットを介さないでルータ２０２との間で各種の信号およびデータを送受信するために設けられている。データ送受信部１９は、たとえば、Ｗｉ−Ｆｉ（登録商標）やＢｌｕｅｔｏｏｔｈ（登録商標）、ＩｒＤＡ（登録商標）などに対応するように構成されており、インターネットを介さないでルータ２０２と通信可能なように構成されている。
【００７６】
ルータ３０２は、図９に示すように、宅内（家庭内や企業内など）の所定の場所に固定的に設置されるように構成されている。また、ルータ３０２は、図１１に示すように、メモリ部２１、電源部２２、データ送受信部２３〜２５およびＣＰＵ２６に加えて、データ送受信部２８をさらに備えている。なお、データ送受信部２８は、本発明の「第１通信部」の一例である。
【００７７】
データ送受信部２８は、インターネットを介さないで他の機器との間で各種の信号およびデータを送受信するために設けられている。データ送受信部２８は、たとえば、Ｗｉ−Ｆｉ（登録商標）やＢｌｕｅｔｏｏｔｈ（登録商標）、ＩｒＤＡ（登録商標）、ＵＳＢなどに対応するように構成されており、インターネットを介さないで他の機器と通信可能なように構成されている。
【００７８】
また、ルータ３０２のメモリ部２１の不揮発性メモリ２１ａには、後述する第３実施形態による動画変換システム３００の録画・動画変換処理の際にＣＰＵ２６により実行される処理プログラム３２１ｃが格納されている。
【００７９】
次に、図１２を参照して、本発明の第３実施形態による動画変換システム３００の録画・動画変換処理動作について説明する。なお、動画変換システム３００により録画・動画変換処理が実行される際には、ルータ３０２のＣＰＵ２６は処理プログラム３２１ｃを実行する。また、第３実施形態では、上記第１実施形態と同様の動作については図１２のフローチャートに図６と同じステップ番号を付してその説明を省略する。
【００８０】
第３実施形態による動画変換システム３００の録画・動画変換処理動作は、図１２に示すように、ルータ３０２の動作のステップＳ１８とステップＳ１９との間に、携帯電話３０１とデータ通信可能か否かを判断する動作を追加しているところが上記第１実施形態と異なる。具体的には、ルータ３０２のＣＰＵ２６は、ステップＳ１８において携帯機器情報に基づいて動画変換処理を行った後、ステップＳ３０１において、携帯電話３０１とデータ通信可能か否かを判断する。詳細には、ＣＰＵ２６は、携帯電話３０１がインターネットを介さないで通信可能な範囲（Ｗｉ−Ｆｉ（登録商標）やＢｌｕｅｔｏｏｔｈ（登録商標）、ＩｒＤＡ（登録商標）などにより通信可能な範囲）に位置しているか否かを判断し、携帯電話３０１が通信可能な範囲内に位置する場合にデータ通信可能であると判断する。ＣＰＵ２６は、携帯電話３０１が通信可能な範囲に位置するまでこの判断を繰り返し、携帯電話３０１が通信可能な範囲内に位置すると、ステップＳ１９において、インターネットを介さないで、Ｗｉ−Ｆｉ（登録商標）やＢｌｕｅｔｏｏｔｈ（登録商標）、ＩｒＤＡ（登録商標）などにより、動画データをデータ送受信部２８を介して携帯電話３０１に転送する。すなわち、携帯電話３０１がルータ３０２との通信が可能な範囲内に入ると、ルータ３０２から携帯電話３０１にインターネットを介さないで自動的に動画データが転送される。
【００８１】
なお、第３実施形態のその他の構成は、上記第１実施形態と同様である。
【００８２】
第３実施形態では、上記のように、インターネットを介さないで携帯電話３０１と通信可能なデータ送受信部２８をルータ３０２に設けるとともに、データ送受信部２８により通信可能な範囲内に携帯電話３０１が位置する場合に、動画変換処理された再生可能な動画データをデータ送受信部２８により携帯電話３０１に転送するようにルータ３０２を構成することによって、比較的データサイズの大きい動画データを、ＩｒＤＡ（登録商標）による通信などを用いてデータ送受信部２８によりインターネットを介さないで携帯電話３０１に転送することができるので、インターネットが混雑している場合でも動画データを携帯電話３０１に良好に転送することができる。また、データサイズの大きい動画データの転送にインターネットを用いない分、パケット代などのインターネットの使用料を低減することができる。
【００８３】
なお、第３実施形態のその他の効果は、上記第１実施形態と同様である。
【００８４】
（第４実施形態）
次に、図１１および図１３〜図１５を参照して、第４実施形態について説明する。この第４実施形態では、上記第３実施形態と異なり、携帯電話４０１が充電クレードル４１０に接続された際に、インターネットを介さないでルータ３０２から携帯電話４０１に動画データを転送する動画変換システム４００について説明する。なお、携帯電話４０１は、本発明の「携帯機器」の一例である。
【００８５】
本発明の第４実施形態による動画変換システム４００は、図１３に示すように、宅内（家庭内や企業内など）において、携帯電話４０１が充電クレードル４１０に接続されると、インターネットを介さずに充電クレードル４１０を介してルータ３０２から携帯電話４０１に動画データを転送するように構成されている。
【００８６】
携帯電話４０１は、図１４に示すように、表示部１１、操作部１２、音声入出力部１３、メモリ部１４、電源・充電部１５、データ送受信部１６、テレビ放送受信部１７およびＣＰＵ１８に加えて、データ送受信部（クレードル間用）２０をさらに備えている。
【００８７】
データ送受信部２０は、インターネットを介さないで充電クレードル４１０との間で各種の信号およびデータを送受信するために設けられている。データ送受信部２０は、たとえば、Ｗｉ−Ｆｉ（登録商標）やＵＳＢなどに対応するように構成されており、インターネットを介さないで充電クレードル４１０と通信可能なように構成されている。
【００８８】
また、ルータ３０２のメモリ部２１の不揮発性メモリ２１ａには、後述する第４実施形態による動画変換システム４００の録画・動画変換処理の際にＣＰＵ２６により実行される処理プログラム４２１ｃ（図１１参照）が格納されている。
【００８９】
充電クレードル４１０は、携帯電話４０１が接続された際に携帯電話４０１を充電するように構成されている。また、充電クレードル４１０は、ルータ３０２から送信されるデータを充電クレードル４１０に接続された携帯電話４０１に転送する機能を有している。また、充電クレードル４１０は、図１４に示すように、データ送受信部（携帯電話間用）４１１と、データ送受信部（ルータ間用）４１２と、ＣＰＵ４１３とを備えている。
【００９０】
データ送受信部（携帯電話間用）４１１は、インターネットを介さないで携帯電話４０１との間で各種の信号およびデータを送受信するために設けられている。データ送受信部４１１は、たとえば、Ｗｉ−Ｆｉ（登録商標）やＵＳＢなどに対応するように構成されており、インターネットを介さないで携帯電話４０１と通信可能なように構成されている。
【００９１】
データ送受信部（ルータ間用）４１２は、インターネットを介さないでルータ３０２との間で各種の信号およびデータを送受信するために設けられている。データ送受信部４１２は、たとえば、Ｗｉ−Ｆｉ（登録商標）やＢｌｕｅｔｏｏｔｈ（登録商標）、ＩｒＤＡ（登録商標）、ＵＳＢなどに対応するように構成されており、インターネットを介さないでルータ３０２と通信可能なように構成されている。
【００９２】
上記のような構成により、充電クレードル４１０は、ルータ３０２から送信されるデータをデータ送受信部（ルータ間用）４１２により受信して、受信したデータをそのまま接続された携帯電話４０１にデータ送受信部（携帯電話間用）４１１により転送することが可能である。
【００９３】
次に、図１５を参照して、本発明の第４実施形態による動画変換システム４００の録画・動画変換処理動作について説明する。なお、動画変換システム４００により録画・動画変換処理が実行される際には、ルータ３０２のＣＰＵ２６は処理プログラム４２１ｃ（図１１参照）を実行する。また、第４実施形態では、上記第３実施形態と同様の動作については図１５のフローチャートに図１２と同じステップ番号を付してその説明を省略する。
【００９４】
第４実施形態による動画変換システム４００の録画・動画変換処理動作は、図１５に示すように、ルータ３０２の動作のステップＳ１８とステップＳ１９との間において、携帯電話４０１が充電クレードル４１０に接続されたか否かを判断する点で上記第３実施形態と異なる。具体的には、ルータ３０２のＣＰＵ２６は、ステップＳ１８において携帯機器情報に基づいて動画変換処理を行った後、ステップＳ４０１において、携帯電話４０１が充電クレードル４１０に接続されたか否かを判断する。ここで、携帯電話４０１が充電クレードル４１０に接続されたとは、有線通信の場合には、携帯電話４０１および充電クレードル４１０が互いに物理的に接続（ケーブル等で接続）されたことを意味し、無線通信の場合には、携帯電話４０１および充電クレードル４１０が互いに通信可能となったことを意味する。
【００９５】
ＣＰＵ２６は、携帯電話４０１が充電クレードル４１０に接続されるまでこの判断を繰り返し、携帯電話４０１が充電クレードル４１０に接続されると、ステップＳ１９において、インターネットを介さずに充電クレードル４１０を介して動画データを携帯電話４０１に転送する。具体的には、ＣＰＵ２６は、Ｗｉ−Ｆｉ（登録商標）やＢｌｕｅｔｏｏｔｈ（登録商標）、ＩｒＤＡ（登録商標）、ＵＳＢなどにより、動画データをデータ送受信部２８を介して充電クレードル４１０に転送する。これにより、充電クレードル４１０により、ルータ３０２から転送された動画データがそのまま携帯電話４０１に転送される。すなわち、携帯電話１が充電クレードル４１０に接続されると、ルータ３０２から携帯電話４０１にインターネットを介さないで自動的に動画データが転送される。なお、データ送受信部２８は、本発明の「第２通信部」の一例である。
【００９６】
なお、第４実施形態のその他の構成は、上記第３実施形態と同様である。
【００９７】
第４実施形態では、上記のように、携帯電話４０１の充電クレードル４１０と通信可能なデータ送受信部２８をルータ３０２に設けるとともに、携帯電話４０１が充電クレードル４１０に接続された場合に、動画変換処理された再生可能な動画データをデータ送受信部２８により充電クレードル４１０を介して携帯電話４０１に転送するようにルータ３０２を構成することによって、比較的データサイズの大きい動画データを、データ送受信部２８によりインターネットを介さずに充電クレードル４１０経由で携帯電話４０１に転送することができるので、インターネットが混雑している場合でも動画データを携帯電話４０１に良好に転送することができる。また、携帯電話４０１が充電クレードル４１０に接続された場合に動画データの転送を行うことによって、携帯電話４０１を充電しながら動画データを転送することができる。また、データサイズの大きい動画データの転送にインターネットを用いない分、パケット代などのインターネットの使用料を低減することができる。
【００９８】
なお、第４実施形態のその他の効果は、上記第３実施形態と同様である。
【００９９】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【０１００】
たとえば、上記第１実施形態〜第４実施形態では、携帯機器情報の一例として、携帯電話が再生可能な動画フォーマットおよび動画サイズの両方の情報を含む携帯機器情報を示したが、本発明はこれに限らず、動画フォーマットまたは動画サイズの一方だけの情報を含む携帯機器情報であってもよい。たとえば、動画サイズの情報のみを携帯機器情報に含ませて携帯電話からルータに送信し、ルータまたは電子機器の動画変換処理部により、送信された動画サイズと携帯電話に一般的に用いられる動画フォーマットとに基づいて、個々の携帯機器に応じた動画変換処理を行うようにしてもよい。
【０１０１】
また、上記第１実施形態〜第４実施形態では、携帯機器の一例として、携帯電話を示したが、本発明はこれに限らず、ＰＤＡ（Ｐｅｒｓｏｎａｌ  Ｄｉｇｉｔａｌ  Ａｓｓｉｓｔａｎｔ）などの携帯情報端末や小型のノートパソコンなど携帯電話以外の携帯機器であってもよい。
【０１０２】
また、上記第１実施形態、第３実施形態および第４実施形態では、本発明の電子機器の一例として、ＤＶＤレコーダおよびＰＣを示したが、本発明はこれに限らず、テレビ放送受信部を備え、テレビ放送番組を録画可能な装置であれば、たとえば、ＨＤＤレコーダなどのＤＶＤレコーダおよびＰＣとは異なる装置であってもよい。
【０１０３】
また、上記第１実施形態〜第４実施形態では、ルータに、２つの電子機器（ＤＶＤレコーダおよびＰＣ）を接続する構成の例を示したが、本発明はこれに限らず、１つまたは３つ以上の電子機器をルータに接続する構成であってもよい。
【０１０４】
また、上記第２実施形態では、ルータに、録画機能を有するＤＶＤレコーダおよびＰＣを接続する構成の例を示したが、本発明はこれに限らず、ルータに、録画機能を有さない電子機器だけを接続する構成であってもよいし、全く電子機器を接続しない構成であってもよい。
【０１０５】
また、上記第１実施形態、第３実施形態および第４実施形態では、ＰＣにより動画変換処理が全て終了した後に変換処理後の動画データをルータに転送する構成の例を示したが、本発明はこれに限らず、ＰＣにより動画変換処理しながら、変換処理済みの部分を順次ルータに転送する構成であってもよい。
【０１０６】
また、上記第３実施形態および第４実施形態では、動画変換処理が全て終了した変換処理後の動画データをルータから携帯機器に転送する構成の例を示したが、本発明はこれに限らず、ルータで動画変換処理しながら、変換処理済みの部分を順次携帯機器に転送する構成であってもよい。この場合、動画変換処理を全て終了させた後に動画データを転送する場合に比べて、動画データの転送を迅速に終了させることができる。
【符号の説明】
【０１０７】
１、３０１、４０１  携帯電話（携帯機器）
２、２０２、３０２  ルータ
３  ＤＶＤレコーダ（電子機器）
４  ＰＣ（電子機器）
２１  メモリ部（記憶部、録画部）
２３  データ送受信部（受信部）
２６  ＣＰＵ（制御部）
２６ａ  動画変換処理部
２７  テレビ放送受信部
２８  データ送受信部（第１通信部、第２通信部）
１００、２００、３００、４００  動画変換システム
【図１】
2011004016.tif 000003
【図２】
2011004016.tif 000004
【図３】
2011004016.tif 000005
【図４】
2011004016.tif 000006
【図５】
2011004016.tif 000007
【図６】
2011004016.tif 000008
【図７】
2011004016.tif 000009
【図８】
2011004016.tif 000010
【図９】
2011004016.tif 000011
【図１０】
2011004016.tif 000012
【図１１】
2011004016.tif 000013
【図１２】
2011004016.tif 000014
【図１３】
2011004016.tif 000015
【図１４】
2011004016.tif 000016
【図１５】
2011004016.tif 000017